(57)【要約】【課題】多くのデータの中から、ユーザーの所望するデータを比較的短時間で探し出せるようにする。【解決手段】原稿の画像を読み取る原稿読取部５と、原稿読取部５による読み取りで得られた画像データの示す画像を記録媒体に形成する画像形成部１２と、原稿読取部５及び画像形成部１２の動作を制御することによって、複数のジョブの実行を制御する制御部１００と、表示部４７３と、表示部４７３による表示動作を制御する表示制御部１０２とを備え、表示制御部１０２は、当該画像形成装置１の外部から入力されたデータを示す画像又は当該データを使用するジョブを示す画像に対して、画像形成装置１により入力されたデータを示す画像、又は当該データを使用するジョブを示す画像を、その表示形態を異ならせて表示部４７３に表示する。【選択図】図１
2019009533.tif 000002
【特許請求の範囲】
【請求項１】
原稿の画像を読み取る原稿読取部と、
前記原稿読取部による読み取りで得られた画像データの示す画像を記録媒体に形成する画像形成部と、
前記原稿読取部及び前記画像形成部の動作を制御することによって、複数のジョブの実行を制御する制御部と、
本画像形成装置により入力されたデータと、本画像形成装置に接続された外部の機器から入力されたデータとを記憶する記憶部と、
表示部と、
前記表示部による表示動作を制御する表示制御部とを備え、
前記表示制御部は、当該画像形成装置の外部から入力されたデータを示す画像、又は当該データを使用するジョブを示す画像に対して、本画像形成装置により入力されたデータを示す画像、又は当該データを使用するジョブを示す画像を、その表示形態を異ならせて前記表示部に表示する画像形成装置。
【請求項２】
前記表示形態を異ならせた表示を行うか否かのユーザー設定を受け付ける設定受付部を更に備え、
前記表示制御部は、前記設定受付部が受け付けたユーザー設定に応じて、前記表示形態を異ならせた表示を行う請求項１に記載の画像形成装置。
【請求項３】
前記表示制御部は、前記記憶部に記憶されているデータを示す画像、又は当該データを使用するジョブを示す画像を、前記表示形態を異ならせた表示の対象とすると共に、前記記憶部に保存されてから予め定められた時間が経過したデータを示す画像、又は当該データを使用するジョブを示す画像については、前記表示形態を異ならせた表示の対象としない請求項１又は請求項２に記載の画像形成装置。
【請求項４】
ユーザーにより操作指示が入力される操作部を更に備え、
前記制御部は、前記操作部に入力されるユーザー識別情報に基づいて、当該ユーザーに対して本画像形成装置のログインを認めるか否かを判断し、
前記表示制御部は、前記制御部により前記ユーザーに対してログインが認められた場合には、前記記憶部に記憶されているデータ、又は当該データを使用するジョブのうち、当該ログインが認められたユーザーが所有するデータを示す画像、又は当該データを使用するジョブを示す画像のみを前記表示部に表示させる請求項１乃至請求項３のいずれかに記載の画像形成装置。
【発明の詳細な説明】
【技術分野】
【０００１】
本発明は、画像形成装置に関し、特に、データの内容等を表示部に表示する技術に関する。
【背景技術】
【０００２】
ＭＦＰ（Multifunction Peripheral／複合機）の有する機能として、ボックス保存という機能がある。このボックス保存という機能を利用すれば、ＭＦＰでスキャンを行うことによって得られたスキャンデータを、ＭＦＰ内部に保存したり、また外部装置（例えば、パーソナルコンピューターやモバイル機器）から送信されてきたデータを、ＭＦＰ内部に保存したりすることが可能である。そして、これらデータの内容は、ＭＦＰに装備されている表示部を通して、ユーザーは確認することができる。
【先行技術文献】
【特許文献】
【０００３】
【特許文献１】特開２０１３−２２８４１７号公報
【発明の概要】
【発明が解決しようとする課題】
【０００４】
しかしながら、表示部を通してデータの内容を確認する際に、保存データがたくさんあると、ユーザーは所望する情報を見つけることが難しい。例えば、データの保存日時やタイトル、データの入力元（スキャナー、外部装置等）を参考にすれば、所望する情報を見つけ出すことは可能であるが、探し出すまでに長時間を要する場合がある。上記の特許文献１に、印刷ジョブの待機中と実行中とで表示部の表示内容を切り替え、待機中の印刷ジョブの識別情報よりも、実行中の印刷ジョブの識別情報を表示部に強調して表示し、実行中の印刷ジョブに対するユーザーの注意喚起を高めることが記載されている。しかしながら、実行中のジョブがユーザーの所望する情報であるとは限らない。
【０００５】
本発明は、上記の事情に鑑みなされたものであり、たくさんのデータの中から、ユーザーの所望する情報を比較的短時間で探し出せるようにすることを目的とする。
【課題を解決するための手段】
【０００６】
画像形成装置（例えば、ＭＦＰ）の前に立ち、当該装置に装備されている操作部を操作するユーザーにとっては、当該装置の外部から入力されたデータ（例えば、パーソナルコンピューターやモバイル機器から送信されてきたプリントデータ）よりも、例えば、本画像形成装置のスキャナーによる読み取りで得られたスキャンデータの方が重要である可能性が高い。このようなデータは、ユーザー本人が上記操作部を操作することによって、画像形成装置内部に保存したものであって、ユーザー本人がすぐに利用したいデータである可能性が高い。よって、ユーザーは、当該データを、外部から入力されたデータよりも所望する可能性が高い。
【０００７】
本発明の一局面に係る画像形成装置は、原稿の画像を読み取る原稿読取部と、前記原稿読取部による読み取りで得られた画像データの示す画像を記録媒体に形成する画像形成部と、前記原稿読取部及び前記画像形成部の動作を制御することによって、複数のジョブの実行を制御する制御部と、本画像形成装置により入力されたデータと、本画像形成装置に接続された外部の機器から入力されたデータとを記憶する記憶部と、表示部と、前記表示部による表示動作を制御する表示制御部とを備え、前記表示制御部は、当該画像形成装置の外部から入力されたデータを示す画像、又は当該データを使用するジョブを示す画像に対して、本画像形成装置により入力されたデータを示す画像、又は当該データを使用するジョブを示す画像を、その表示形態を異ならせて前記表示部に表示する。
【発明の効果】
【０００８】
本発明によれば、当該画像形成装置の外部から入力されたデータを示す画像、又は当該データを使用するジョブを示す画像に対して、本画像形成装置により入力されたデータを示す画像、又は当該データを使用するジョブを示す画像が、その表示形態を異ならせて表示部に表示される。従って、ユーザーの所望する可能性の高いデータを示す画像又は当該データを使用するジョブを示す画像が表示形態を異ならせて表示されるので、ユーザーは、多くのデータの中から、自身が所望する情報を比較的短時間で探し出すことが可能となる。
【図面の簡単な説明】
【０００９】
【図１】本発明の第１実施形態に係る画像形成装置の主要内部構成を概略的に示した機能ブロック図である。
【図２】文書リストを含んだ表示画面の一例を示した図である。
【図３】（Ａ）は、ジョブ履歴リストを含んだ表示画面の一例を示した図であり、（Ｂ）は、ジョブ状況リストを含んだ表示画面の一例を示した図である。
【図４】文書リストを含んだ表示画面の一例を示した図である。
【図５】第１実施形態に係る画像形成装置における制御ユニットで行われる処理動作の一例を示したフローチャートである。
【図６】文書リストを含んだ表示画面の一例を示した図である。
【図７】（Ａ）は、ジョブ履歴リストを含んだ表示画面の一例を示した図であり、（Ｂ）は、ジョブ状況リストを含んだ表示画面の一例を示した図である。
【発明を実施するための形態】
【００１０】
以下、本発明の一実施形態に係る画像形成装置について図面を参照して説明する。図１は、本発明の第１実施形態に係る画像形成装置の主要内部構成を概略的に示した機能ブロック図である。
【００１１】
画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ファクシミリ通信部７１、及びネットワークインターフェイス部９１を含んで構成されている。なお、ＨＤＤ９２は、特許請求の範囲における記憶装置の一例である。
【００１２】
画像形成装置１で原稿読取動作が行われる場合について説明する。原稿給送部６により搬送されてきた原稿、又はプラテンガラスに載置された原稿の画像を、原稿読取部５が光学的に読み取り、そして画像データを生成する。原稿読取部５により生成された画像データは、ＨＤＤ９２等に保存される。
【００１３】
画像形成部１２は、印刷すべき画像のトナー像を用紙（記録媒体）上に形成する。ＨＤＤ９２は、原稿読取部５による読み取りで得られた原稿の画像データを記憶したり、外部装置２０（例えば、パーソナルコンピューターやモバイル機器）から送信されてきた画像データを記憶したり、画像形成部１２のプリント対象となる画像データやファクシミリ通信部７１を介して受信した画像データ等を保存するための領域である。
【００１４】
ＨＤＤ９２は、原稿読取部５によって読み取られた画像データやジョブ情報のデータ等を記憶する大容量の記憶装置である。
【００１５】
定着部１３は、熱圧着によりトナー像を記録紙に定着させるものであり、定着処理が施された記録紙は排出トレイに排出される。給紙部１４は、給紙カセットを備える。
【００１６】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１７】
ファクシミリ通信部７１は、ファクシミリ通信を行い、ネットワークインターフェイス部９１は、ローカルエリア内、又はインターネット上の電子機器やサーバー等の外部装置２０と種々のデータの送受信を行うものである。
【００１８】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、表示制御部１０２とを備えている。
【００１９】
制御ユニット１０は、ＨＤＤ９２に記憶されている制御プログラム等に従った上記プロセッサーによる動作により、制御部１００、操作受付部１０１、及び表示制御部１０２として機能するものである。但し、制御部１００等は、制御ユニット１０による制御プログラムに従った動作によらず、ハードウェア回路により構成することも可能である。以下、特に触れない限り、各実施形態について同様である。
【００２０】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御等を行う。
【００２１】
例えば、制御部１００は、原稿給送部６、原稿読取部５、画像形成部１２、及びファクシミリ通信部７１等の動作を制御することによって、スキャンジョブ、コピージョブ、プリントジョブ、及びファクスジョブを含む複数のジョブの実行を制御する。
【００２２】
また、制御部１００は、各ジョブの受付番号や受付日時（又は終了日時）、種別（例えば、スキャン、コピー、プリント、ファクス）、ジョブ名などのジョブ情報をＨＤＤ９２に記憶させると共に、ジョブの状況変化に応じて、ＨＤＤ９２に記憶されているジョブ情報を適宜更新する。
【００２３】
また、制御部１００は、原稿読取部５による読み取りで得られた画像データをスキャン文書又はコピー文書とし、外部装置２０からプリント指示で送信されてきた画像データをプリント文書とし、そして、ファクシミリ通信部７１を介して受信した画像データをファクス受信文書とし、それぞれに文書番号や保存日時、種別（スキャン、コピー、プリント、ファクス受信）、文書名などを付けて文書情報としてＨＤＤ９２に保存する。
【００２４】
操作受付部１０１は、ユーザーにより操作部４７に入力されたユーザー操作を受け付ける。
【００２５】
表示制御部１０２は、表示部４７３による表示動作を制御する。例えば、表示制御部１０２は、操作受付部１０１がユーザーからの文書リストの表示要求を受け付けると、ＨＤＤ９２に保存されているスキャン文書等の文書情報を読み出し、読み出した文書情報に基づいて、文書リストを含んだ表示画面を作成し、作成した表示画面を表示部４７３に表示する。
【００２６】
図２は、文書リストを含んだ表示画面の一例を示した図である。表示画面Ｄ１は複数の項目（文書番号、保存日時、種別、文書名）からなる文書リストＬ１と、タイトル名「文書リスト画面」及び項目名が表示された上段バーＢＵ１と、表示画面Ｄ１を閉じるための「閉じる」と表示されたボタンＢ１が形成された下段バーＢＤ１とを含んで構成される。保存データが多く、文書リストＬ１が表示部４７３の表示領域Ｅ１に収まりきらず、その全体を表示領域Ｅ１内に表示することが不可能となる場合、文書リストＬ１はスクロール画像となる。
【００２７】
また、表示制御部１０２は、操作受付部１０１がユーザーからのジョブ履歴リストやジョブ状況（実行中及び実行待ちのジョブの一覧）リストの表示要求を受け付けると、ＨＤＤ９２に記憶されているジョブ情報を読み出し、読み出したジョブ情報に基づいて、ジョブ履歴リストやジョブ状況リストを含んだ表示画面を作成し、作成した表示画面を表示部４７３に表示する。
【００２８】
図３（Ａ）は、ジョブ履歴リストを含んだ表示画面の一例を示した図であり、図３（Ｂ）は、ジョブ状況リストを含んだ表示画面の一例を示した図である。表示画面Ｄ２は複数の項目（受付番号、終了日時、種別、ジョブ名、結果）からなるジョブ履歴リストＬ２と、タイトル名「ジョブ履歴リスト画面」及び項目名が表示された上段バーＢＵ２と、表示画面Ｄ２を閉じるための「閉じる」と表示されたボタンＢ１が形成された下段バーＢＤ２とを含んで構成される。
【００２９】
表示画面Ｄ３は複数の項目（受付番号、受付日時、種別、ジョブ名、状況）からなるジョブ状況リストＬ３と、タイトル名「ジョブ状況リスト画面」及び項目名が表示された上段バーＢＵ３と、表示画面Ｄ３を閉じるための「閉じる」と表示されたボタンＢ１が形成された下段バーＢＤ３とを含んで構成される。
【００３０】
ジョブ情報が多く、ジョブ履歴リストＬ２やジョブ状況リストＬ３が表示部４７３の表示領域Ｅ２，Ｅ３に収まりきらず、その全体を表示領域Ｅ２，Ｅ３内に表示することが不可能となる場合、上記した文書リストＬ１と同様に、ジョブ履歴リストＬ２やジョブ状況リストＬ３はスクロール画像となる。
【００３１】
また、表示制御部１０２は、ＨＤＤ９２に保存されている画像データの内容を文書リストとして表示部４７３に表示する（図４参照）。この場合、表示制御部１０２は、画像形成装置１の外部から入力されたデータ（具体的には、プリント文書及びファクス受信文書）を示す画像に対して、画像形成装置１により入力されたデータを示す画像（具体的には、ユーザーによる画像形成装置１の操作に基づいて画像形成装置１自身により取り込まれたスキャン文書及びコピー文書）を示す画像をその表示形態を異ならせて表示部４７３に表示する。
【００３２】
例えば、図４に示すように、表示制御部１０２は、スキャン文書を示す部分を有する文書リストＬ１１を含んだ表示画面Ｄ１１を表示部４７３に表示する場合、スキャン文書を示す画像部分Ｐ１を点滅表示することによって、タッチパネル機能の文書を示す画像よりも強調して表示する。なお、強調表示は、点滅表示に限定されず、例えば、表示制御部１０２が、対象となる部分の文字列を、定期的に横方向にスライド移動させるなどのアニメーション表示であってもよい。
【００３３】
次に、第１実施形態に係る画像形成装置１の制御ユニット１０で行われる処理動作の一例について、図５に示したフローチャートに基づいて説明する。例えば、操作受付部１０１がユーザーからＨＤＤ９２に保存されている文書のリスト表示の要求を受け付けると、表示制御部１０２は、ＨＤＤ９２に保存されているスキャン文書等の文書情報を読み出し、読み出した文書情報に基づいて、文書リストを含んだ表示画面を作成する（Ｓ１）。
【００３４】
続いて、表示制御部１０２は、ＨＤＤ９２に保存されている文書情報を検索し、表示形態を異ならせた表示（強調表示）の対象となる文書情報が存在するか否かを判断する（Ｓ２）。具体的には、表示制御部１０２は、ＨＤＤ９２に、画像形成装置１により入力されてＨＤＤ９２に記憶されたスキャン文書やコピー文書を示す文書情報が保存されているか否かを判断する。
【００３５】
表示制御部１０２は、表示形態を異ならせた表示の対象となる文書情報が存在しないと判断した場合（Ｓ２でＮＯ）、従来通りに、図２に示したように、文書リストを含んだ表示画面Ｄ１を表示部４７３に表示する（Ｓ３）。
【００３６】
一方、表示制御部１０２は、表示形態を異ならせた表示の対象となる文書情報が存在すると判断した場合（Ｓ２でＹＥＳ）、文書リストを含んだ表示画面Ｄ１１を表示部４７３に表示すると共に（Ｓ４）、表示形態を異ならせた表示の対象となる文書を示す画像部分を特定して、図４に一例を示したようにして、特定した文書を示す画像部分Ｐ１を点滅表示させる（Ｓ５）。
【００３７】
続いて、表示制御部１０２は、制御部１００によりＨＤＤ９２に新たな文書情報が保存されたか否かを判断し（Ｓ６）、ＨＤＤ９２に新たな文書情報が保存される度に（Ｓ６でＹＥＳ）、新たに保存された文書情報が表示形態を異ならせた表示の対象となる文書情報であるか否かを判断する（Ｓ７）。具体的には、表示制御部１０２は、新たに保存された文書情報が、画像形成装置１により入力されてＨＤＤ９２に記憶されたスキャン文書やコピー文書を示す文書情報であるか否かを判断する。
【００３８】
表示制御部１０２が、新たに保存された文書情報が表示形態を異ならせた表示の対象ではないと判断した場合（Ｓ７でＮＯ）、表示制御部１０２は、従来通りに、当該文書情報を表示部４７３に表示されている文書リストに追加して表示し（Ｓ８）、その後、処理はＳ６へ戻る。
【００３９】
一方、表示制御部１０２が、新たに保存された文書情報が、表示形態を異ならせた表示の対象であると判断した場合（Ｓ７でＹＥＳ）、表示制御部１０２は、当該文書情報を表示部４７３に表示されている文書リストに追加して表示すると共に（Ｓ９）、追加した文書部分を点滅表示し（Ｓ１０）、その後、処理はＳ６へ戻る。
【００４０】
また、Ｓ６において、表示制御部１０２が、ＨＤＤ９２に新たな文書情報が保存されない状態で（Ｓ６でＮＯ）、操作受付部１０１により表示画面Ｄ１等に形成されている「閉じる」と表示されたボタンＢ１に対する操作が受け付けられたと判断した場合（Ｓ１１でＹＥＳ）、文書リストを含んだ表示画面を表示部４７３において非表示とし、当該表示画面が表示される前の表示状態に表示部４７３を戻す（Ｓ１２）。この後、この処理動作を終了する。一方、表示制御部１０２が、操作受付部１０１によりボタンＢ１に対する操作が受け付けられていないと判断した場合（Ｓ１１でＮＯ）、処理はＳ６へ戻る。
【００４１】
上記実施形態によれば、表示制御部１０２は、ジョブ履歴リスト画面、ジョブ状況リスト画面、又は、ＨＤＤ９２に記憶されている文書群を示す文書リスト表示画面においては、画像形成装置１の外部から入力されたデータ（具体的には、プリント文書及びファクス受信文書）を示す画像に対して、画像形成装置１により入力されたデータ（具体的には、スキャン文書及びコピー文書等）の内容を示す画像の表示形態を異ならせて表示部４７３に表示させるため、ユーザーの所望する可能性の高いデータを示す画像が、他のデータを示す画像とは表示形態が異なって表示される（例えば、強調して表示される）ので、多くのデータの中から、ユーザーは所望するデータを比較的短時間で探し出すことが可能となる。
【００４２】
すなわち、画像形成装置１の前に立ち、画像形成装置１の操作部４７を操作するユーザーにとっては、画像形成装置１の外部から入力されたデータ（例えば、パーソナルコンピューターやモバイル機器から送信されてきてＨＤＤ９２に記憶されたプリントデータ）よりも、例えば、画像形成装置１の原稿読取部（スキャナー）６による読み取りで得られてＨＤＤ９２に記憶されているスキャンデータの方が重要である可能性が高い。このようなデータは、ユーザー本人が操作部４７を操作することによって、画像形成装置１の内部に保存したものであって、ユーザー本人がすぐに利用したいデータである可能性が高い。よって、ユーザーは、当該データを、外部から入力されたデータよりも所望する可能性が高い。上記実施形態によれば、文書リスト表示画面において、このようなデータを示す画像や、当該データを使用するジョブを示す画像を、他のデータを示す画像とは表示形態を異ならせて表示するため、ユーザーは、多くのデータの中から、所望するデータを比較的短時間で探し出すことが可能となる。
【００４３】
なお、ファクス送信文書がＨＤＤ９２に保存される場合には、ファクス送信された画像データが原稿読取部５による読み取りで得られたものであれば、表示制御部１０２は、ファクス送信文書をスキャン文書と同様の表示形態とし、ファクス送信された画像データが外部から入力されたものであれば、表示制御部１０２は、ファクス送信文書をプリント文書と同様の表示形態とする。
【００４４】
また、別の実施形態として、操作受付部１０１が、上記表示形態を異ならせた表示を行うか否かを示すユーザー設定を、操作部４７を介して受け付ける設定受付部を制御ユニット１０が備え、表示制御部１０２が、当該設定受付部が受け付けたユーザー設定に応じて、上記表示形態を異ならせた表示を行うようにしてもよい。これにより、ユーザーの意思により上記表示形態を異ならせた表示を行うか否かを切り換え可能になるので、ユーザーにとって使い勝手のよいものにすることができる。
【００４５】
ところで、画像形成装置１により入力されたデータ（スキャン文書及びコピー文書）であったとしても、ＨＤＤ９２に保存されてから長期間が経過しているものについては、ユーザーの所望する情報でない可能性が高いことが考えられる。これに対し、ＨＤＤ９２に保存されてから時間のあまり経過していないものは、ユーザー本人がすぐに利用したいデータである可能性が高いと考えられる。
【００４６】
そこで、更なる別の実施形態として、表示制御部１０２は、例えば制御ユニットに内蔵されタイマーにより計測された、各データがＨＤＤ９２に保存されてからの経過時間に基づいて、当該経過時間が予め定められた時間（例えば、１０分）を過ぎたデータを示す画像に対しては、画像形成装置１により入力されたデータであったとしても、上記表示形態を異ならせた表示をしないようにしてもよい。なお、この場合、表示形態を異ならせた表示の対象となるのは、比較的新しくＨＤＤ９２に保存されたデータに限定されるので、図６に示すように、新しいデータであることが視覚的に分かるように、表示制御部１０２が、表示形態を異ならせた表示の対象となる部分に、例えば「ＮＥＷ」といった画像Ｍ１を更に表示するようにしてもよい。
【００４７】
また、表示制御部１０２は、ジョブの内容をジョブ履歴リスト画面やジョブ状況リスト画面として表示部４７３に表示する場合にも、文書リスト画面を表示部４７３に表示する場合と同様に、画像形成装置１の外部から入力されたデータを使用するジョブ（具体的には、プリントジョブ及びファクス受信ジョブ）を使用するジョブを示す画像に対して、画像形成装置１により入力されたデータを使用するジョブ（具体的には、スキャンジョブ及びコピージョブ）を示す画像を、その表示形態を異ならせて（強調して）、表示部４７３に表示させるようにしてもよい。
【００４８】
図７（Ａ）は、ジョブ履歴リスト画面の一例を示した図であり、図７（Ｂ）は、ジョブ状況リスト画面の一例を示した図である。図７（Ａ）に示すように、表示制御部１０２により、ジョブ履歴リストＬ２を含んだ表示画面Ｄ２１が表示され、この表示画面Ｄ２１では、コピージョブを示す画像部分Ｐ２及びスキャンジョブを示す画像部分Ｐ３が点滅表示されることで表示形態を異ならせて表示され、図７（Ｂ）に示すように、ジョブ状況リストＬ３を含んだ表示画面Ｄ３１では、コピージョブを示す画像部分Ｐ４が点滅表示されることで表示形態を異ならせて表示されている。
【００４９】
なお、ファクス送信ジョブについては、ファクス送信された画像データが原稿読取部５による読み取りで得られたものであれば、表示制御部１０２は、スキャンジョブと同様に表示形態を異ならせた表示の対象とし、ファクス送信された画像データが外部から入力されたものであれば、表示制御部１０２は、プリントジョブと同様に扱うように表示形態を異ならせた表示の対象としない。
【００５０】
また、制御部１００が、操作部４７に入力されるユーザー識別情報に基づいて、当該ユーザーに対して画像形成装置１のログインを認めるか否かを判断する場合には、表示制御部１０２は、制御部１００により当該ユーザーに対してログインが認められたときは、ＨＤＤ９２に記憶されているデータ、又は当該データを使用するジョブのうち、当該ログインが認められたユーザーが所有するデータを示す画像、又は当該データを使用するジョブを示す画像のみを、文書リスト画面、ジョブ履歴リスト画面、又はジョブ状況リスト画面として、表示部４７３に表示させるものとしてもよい。この場合、表示制御部１０２は、画像形成装置１を操作しているユーザー自身が所有するデータを示す画像、又は当該データを使用するジョブを示す画像のみを、上記表示形態を異ならせた表示の対象とすることになるため、ユーザーは、所望のデータ又はジョブを更に効率良く探し出すことが可能になる。
【００５１】
また、図１乃至図７を用いて上記実施形態により示した構成及び処理は、本発明の一実施形態に過ぎず、本発明を当該構成及び処理に限定する趣旨ではない。
【符号の説明】
【００５２】
１        画像形成装置
５        原稿読取部
１２      画像形成部
１００    制御部
１０２    表示制御部
４７３    表示部
【図１】
2019009533.tif 000003
【図２】
2019009533.tif 000004
【図３】
2019009533.tif 000005
【図４】
2019009533.tif 000006
【図５】
2019009533.tif 000007
【図６】
2019009533.tif 000008
【図７】
2019009533.tif 000009